(57)【要約】  複数のユーザー機器（ＵＥ）によって使用される、複数のユーザー機器固有の基準信号（ＵＥ−ＲＳ）の擬似ランダムシーケンスが初期化され、各ＵＥ−ＲＳに関連づけられた各擬似ランダムシーケンスの初期化は、特定のＵＥ識別子に依存せず、特定のＵＥに割り当てられたリソース帯域幅に依存しない。ＵＥ−ＲＳ擬似ランダムシーケンスが生成される。擬似ランダムシーケンスのうちの少なくとも１つが、複数のＵＥのうちの少なくとも１つのＵＥのために、共通リソースの一部にマッピングされる。
2013507060.tif 000002
【特許請求の範囲】
【請求項１】
無線通信システムにおけるデータ通信方法であって、
複数のユーザー機器（ＵＥ）によって使用される、複数のユーザー機器固有の基準信号（ＵＥ−ＲＳ）の擬似ランダムシーケンスを初期化することであって、各ＵＥ−ＲＳに関連づけられた各擬似ランダムシーケンスの前記初期化は、特定のＵＥ識別子に依存せず、特定のＵＥに割り当てられたリソース帯域幅に依存しない、初期化することと、
前記ＵＥ−ＲＳの擬似ランダムシーケンスを生成することと、
前記複数のＵＥのうちの少なくとも１つのＵＥのために、共通リソースの一部に、前記擬似ランダムシーケンスのうちの少なくとも１つをマッピングすることと
を含む方法。
【請求項２】
前記初期化ステップにおいて、ｃｉｎｉｔは、前記各ＵＥ−ＲＳに関連づけられた擬似ランダムシーケンスジェネレータの初期値であり、
【数１】
2013507060.tif 000018
によって定められた関数であり、ここで、
【数２】
2013507060.tif 000019
は、セルＩＤであり、ｎｓはスロット番号である、請求項１に記載の方法。
【請求項３】
前記初期化は、前記無線通信システムの最大帯域幅構成に少なくとも部分的に基づいている、請求項１に記載の方法。
【請求項４】
前記擬似ランダムシーケンスは、
【数３】
2013507060.tif 000020
によって定められ、ここで、ｃは、擬似ランダムシーケンスジェネレータであり、
【数４】
2013507060.tif 000021
は、前記無線通信システムの最大下りリンク帯域幅構成を表す、請求項１に記載の方法。
【請求項５】
【数５】
2013507060.tif 000022
は、１１０個のリソースブロック（ＲＢ）である、請求項４に記載の方法。
【請求項６】
前記初期化は、リソースブロック（ＲＢ）を表す識別子に少なくとも部分的に基づいている、請求項１に記載の方法。
【請求項７】
前記初期化ステップにおいて、ｃｉｎｉｔは、前記各ＵＥ−ＲＳに関連づけられた擬似ランダムシーケンスジェネレータの初期値であり、
【数６】
2013507060.tif 000023
によって定められた関数であり、ここで、
【数７】
2013507060.tif 000024
は、セルＩＤであり、
ｎｓは、スロット番号であり、
ＲＢＩＤは、リソースブロック（ＲＢ）識別子である、請求項６に記載の方法。
【請求項８】
前記初期化は、アンテナポートを表すインデックスに少なくとも部分的に基づいている、請求項１に記載の方法。
【請求項９】
前記初期化ステップにおいて、ｃｉｎｉｔは、前記各ＵＥ−ＲＳに関連づけられた擬似ランダムシーケンスジェネレータの初期値であり、
【数８】
2013507060.tif 000025
によって定められた関数であり、ここで、
【数９】
2013507060.tif 000026
は、セルＩＤであり、
ｎｓは、スロット番号であり、
ＡｎｔＰｏｒｔＩｄｘは、アンテナポートインデックスである、請求項８に記載の方法。
【請求項１０】
前記初期化は、グループＩＤに少なくとも部分的に基づいており、前記グループＩＤは、少なくとも１つのＵＥが割り当てられたＵＥグループに対応する、請求項１に記載の方法。
【請求項１１】
前記初期化ステップにおいて、ｃｉｎｉｔは、前記各ＵＥ−ＲＳに関連づけられた擬似ランダムシーケンスジェネレータの初期値であり、
【数１０】
2013507060.tif 000027
によって定められた関数であり、ここで、
【数１１】
2013507060.tif 000028
は、セルＩＤであり、
ｎｓは、スロット番号であり、
ｎ＿ｇｒｏｕｐＩＤは、グループＩＤである、請求項１０に記載の方法。
【請求項１２】
前記グループＩＤを半静的な手法で割り当てることをさらに含む、請求項１０に記載の方法。
【請求項１３】
前記グループＩＤを動的な手法で割り当てることをさらに含む、請求項１０に記載の方法。
【請求項１４】
２つのグループがあり、前記２つのグループのうちの第１のグループは、ｎ＿ｇｒｏｕｐＩＤ＝０を有し、前記２つのグループのうちの第２のグループは、ｎ＿ｇｒｏｕｐＩＤ＝１を有する、請求項１１に記載の方法。
【請求項１５】
前記少なくとも１つのＵＥは、ＵＥの位置と、ＵＥの主なチャネル方向と、前記ＵＥグループに現在割り当てられているＵＥの合計数と、のうちの１つに基づいて、前記ＵＥグループに割り当てられる、請求項１０に記載の方法。
【請求項１６】
無線通信システムにおけるデータ通信方法であって、
ユーザー機器固有の基準信号（ＵＥ−ＲＳ）の少なくとも１つの擬似ランダムシーケンスを受信することであって、前記少なくとも１つの擬似ランダムシーケンスは、特定のＵＥ識別子に依存せず、かつ、特定のＵＥに割り当てられたリソース帯域幅に依存せずに、初期化されている、受信することと、
下りリンク帯域幅リソースでデータを受信することと、
前記下りリンク帯域幅リソースで受信されたデータを復号するために前記ＵＥ−ＲＳを使用することと
を含む方法。
【請求項１７】
前記少なくとも１つの擬似ランダムシーケンスは、前記無線通信システムの最大帯域幅構成に少なくとも部分的に基づいている、請求項１６に記載の方法。
【請求項１８】
前記少なくとも１つの擬似ランダムシーケンスは、リソースブロック（ＲＢ）を表す識別子に少なくとも部分的に基づいて初期化されている、請求項１６に記載の方法。
【請求項１９】
前記少なくとも１つの擬似ランダムシーケンスは、アンテナポートを表すインデックスに少なくとも部分的に基づいて初期化されている、請求項１６に記載の方法。
【請求項２０】
前記擬似ランダムシーケンスは、グループＩＤに少なくとも部分的に基づいて初期化されており、前記グループＩＤは、少なくとも１つのＵＥが割り当てられたＵＥグループに対応する、請求項１６に記載の方法。
【請求項２１】
無線通信ネットワークにおける装置であって、
複数のユーザー機器（ＵＥ）によって使用される、複数のユーザー機器固有の基準信号（ＵＥ−ＲＳ）の擬似ランダムシーケンスを初期化し、
各ＵＥ−ＲＳに関連づけられた各擬似ランダムシーケンスの前記初期化は、特定のＵＥ識別子に依存せず、特定のＵＥに割り当てられたリソース帯域幅に依存せず、
前記ＵＥ−ＲＳの擬似ランダムシーケンスを生成し、
前記複数のＵＥのうちの少なくとも１つのＵＥのために、共通リソースの一部に、前記擬似ランダムシーケンスのうちの少なくとも１つをマッピングする
ように構成されている少なくとも１つのプロセッサ
を含む装置。
【請求項２２】
前記各擬似ランダムシーケンスの初期化において、ｃｉｎｉｔは、前記各ＵＥ−ＲＳに関連づけられた擬似ランダムシーケンスジェネレータの初期値であり、
【数１２】
2013507060.tif 000029
によって定められた関数であり、ここで、
【数１３】
2013507060.tif 000030
は、セルＩＤであり、ｎｓはスロット番号である、請求項２１に記載の装置。
【請求項２３】
前記初期化は、前記無線通信システムの最大帯域幅構成に少なくとも部分的に基づいている、請求項２１に記載の装置。
【請求項２４】
前記擬似ランダムシーケンスは、
【数１４】
2013507060.tif 000031
によって定められ、ここで、ｃは、擬似ランダムシーケンスジェネレータであり、
【数１５】
2013507060.tif 000032
は、前記無線通信システムの最大下りリンク帯域幅構成を表す、請求項２１に記載の装置。
【請求項２５】
前記初期化は、リソースブロック（ＲＢ）を表す識別子に少なくとも部分的に基づいている、請求項２１に記載の装置。
【請求項２６】
前記初期化は、アンテナポートを表すインデックスに少なくとも部分的に基づいている、請求項２１に記載の装置。
【請求項２７】
前記初期化は、グループＩＤに少なくとも部分的に基づいており、前記グループＩＤは、少なくとも１つのＵＥが割り当てられたＵＥグループに対応する、請求項２１に記載の装置。
【請求項２８】
前記少なくとも１つのプロセッサは、半静的な手法および動的な手法のうちの１つで、前記グループＩＤを割り当てるようにさらに構成されている、請求項２７に記載の装置。
【請求項２９】
無線通信システムにおける装置であって、
ユーザー機器固有の基準信号（ＵＥ−ＲＳ）の少なくとも１つの擬似ランダムシーケンスを受信し、
前記少なくとも１つの擬似ランダムシーケンスは、特定のＵＥ識別子に依存せず、かつ、前記ＵＥに割り当てられたリソース帯域幅に依存せずに、初期化されている、
下りリンク帯域幅リソースでデータを受信し、
前記下りリンク帯域幅リソースで受信されたデータを復号するために前記ＵＥ−ＲＳを使用する
ように構成された少なくとも１つのプロセッサ
を含む装置。
【請求項３０】
前記少なくとも１つの擬似ランダムシーケンスは、前記無線通信システムの最大帯域幅構成に少なくとも部分的に基づいている、請求項２９に記載の装置。
【請求項３１】
前記少なくとも１つの擬似ランダムシーケンスは、リソースブロック（ＲＢ）を表す識別子に少なくとも部分的に基づいて初期化されている、請求項２９に記載の装置。
【請求項３２】
前記少なくとも１つの擬似ランダムシーケンスは、アンテナポートを表すインデックスに少なくとも部分的に基づいて初期化されている、請求項２９に記載の装置。
【請求項３３】
前記擬似ランダムシーケンスは、グループＩＤに少なくとも部分的に基づいて初期化されており、前記グループＩＤは、少なくとも１つのＵＥが割り当てられたＵＥグループに対応する、請求項２９に記載のＵＥ。
【請求項３４】
複数のユーザー機器（ＵＥ）によって使用される、複数のユーザー機器固有の基準信号（ＵＥ−ＲＳ）の擬似ランダムシーケンスを初期化するための手段であって、各ＵＥ−ＲＳに関連づけられた各擬似ランダムシーケンスの前記初期化は、特定のＵＥ識別子に依存せず、特定のＵＥに割り当てられたリソース帯域幅に依存しない、初期化するための手段と、
前記ＵＥ−ＲＳの擬似ランダムシーケンスを生成するための手段と、
前記複数のＵＥのうちの少なくとも１つのＵＥのために、共通リソースの一部に、前記擬似ランダムシーケンスのうちの少なくとも１つをマッピングするための手段と
を含む無線通信ネットワークにおける装置。
【請求項３５】
前記各擬似ランダムシーケンスの初期化において、ｃｉｎｉｔは、前記各ＵＥ−ＲＳに関連づけられた擬似ランダムシーケンスジェネレータの初期値であり、
【数１６】
2013507060.tif 000033
によって定められた関数であり、ここで、
【数１７】
2013507060.tif 000034
は、セルＩＤであり、ｎｓはスロット番号である、請求項３４に記載の装置。
【請求項３６】
前記初期化は、前記無線通信システムの最大帯域幅構成に少なくとも部分的に基づいている、請求項３４に記載の装置。
【請求項３７】
前記擬似ランダムシーケンスは、
【数１８】
2013507060.tif 000035
によって定められ、ここで、ｃは、擬似ランダムシーケンスジェネレータであり、
【数１９】
2013507060.tif 000036
は、前記無線通信システムの最大下りリンク帯域幅構成を表す、請求項３４に記載の装置。
【請求項３８】
前記初期化は、リソースブロック（ＲＢ）を表す識別子に少なくとも部分的に基づいている、請求項３４に記載の装置。
【請求項３９】
前記初期化は、アンテナポートを表すインデックスに少なくとも部分的に基づいている、請求項３４に記載の装置。
【請求項４０】
前記初期化は、グループＩＤに少なくとも部分的に基づいており、前記グループＩＤは、少なくとも１つのＵＥが割り当てられたＵＥグループに対応する、請求項３４に記載の装置。
【請求項４１】
半静的な手法および動的な手法のうちの１つで前記グループＩＤを割り当てるための手段をさらに含む、請求項４０に記載の装置。
【請求項４２】
ユーザー機器固有の基準信号（ＵＥ−ＲＳ）の少なくとも１つの擬似ランダムシーケンスを受信するための手段であって、前記少なくとも１つの擬似ランダムシーケンスは、特定のＵＥ識別子に依存せず、かつ、前記ＵＥに割り当てられたリソース帯域幅に依存せずに、初期化されている、受信するための手段と、
下りリンク帯域幅リソースでデータを受信するための手段と、
前記下りリンク帯域幅リソースで受信されたデータを復号するために前記ＵＥ−ＲＳを使用するための手段と
を含む無線通信システムにおける装置。
【請求項４３】
前記少なくとも１つの擬似ランダムシーケンスは、前記無線通信システムの最大帯域幅構成に少なくとも部分的に基づいている、請求項４２に記載の装置。
【請求項４４】
前記少なくとも１つの擬似ランダムシーケンスは、リソースブロック（ＲＢ）を表す識別子に少なくとも部分的に基づいて初期化されている、請求項４２に記載の装置。
【請求項４５】
前記少なくとも１つの擬似ランダムシーケンスは、アンテナポートを表すインデックスに基づいて初期化されている、請求項４２に記載の装置。
【請求項４６】
前記少なくとも１つの擬似ランダムシーケンスは、グループＩＤに少なくとも部分的に基づいて初期化されており、前記グループＩＤは、少なくとも１つのＵＥが割り当てられたＵＥグループに対応する、請求項４２に記載の装置。
【請求項４７】
複数のユーザー機器（ＵＥ）によって使用される、複数のユーザー機器固有の基準信号（ＵＥ−ＲＳ）の擬似ランダムシーケンスを初期化することであって、各ＵＥ−ＲＳに関連づけられた各擬似ランダムシーケンスの前記初期化は、特定のＵＥ識別子に依存せず、特定のＵＥに割り当てられたリソース帯域幅に依存しない、初期化することと、
前記ＵＥ−ＲＳの擬似ランダムシーケンスを生成することと、
前記複数のＵＥのうちの少なくとも１つのＵＥのために、共通リソースの一部に、前記擬似ランダムシーケンスのうちの少なくとも１つをマッピングすることと
を含む方法を実行するために少なくとも１つのプロセッサによって実行されるコンピュータ可読命令を記憶したコンピュータ可読媒体。
【請求項４８】
前記擬似ランダムシーケンスは、前記無線通信システムの最大帯域幅構成に少なくとも部分的に基づいている、請求項４７に記載のコンピュータ可読媒体。
【請求項４９】
前記初期化は、グループＩＤに少なくとも部分的に基づいており、前記グループＩＤは、少なくとも１つのＵＥが割り当てられたＵＥグループに対応する、請求項４７に記載のコンピュータ可読媒体。
【請求項５０】
少なくとも１つのユーザー機器固有の基準信号（ＵＥ−ＲＳ）の擬似ランダムシーケンスを受信することであって、前記少なくとも１つの擬似ランダムシーケンスは、特定のＵＥ識別子に依存せず、かつ、前記ＵＥに割り当てられたリソース帯域幅に依存せずに、初期化されている、受信することと、
下りリンク帯域幅リソースでデータを受信することと、
前記下りリンク帯域幅リソースで受信されたデータを復号するために前記ＵＥ−ＲＳを使用することと
を含む方法を実行するために少なくとも１つのプロセッサによって実行されるコンピュータ可読命令を記憶したコンピュータ可読媒体。
【請求項５１】
前記少なくとも１つの擬似ランダムシーケンスは、前記無線通信システムの最大帯域幅構成に少なくとも部分的に基づいている、請求項５０に記載のコンピュータ可読媒体。
【請求項５２】
前記少なくとも１つの擬似ランダムシーケンスは、グループＩＤに少なくとも部分的に基づいて初期化されており、前記グループＩＤは、少なくとも１つのＵＥが割り当てられたＵＥグループに対応する、請求項５０に記載のコンピュータ可読媒体。
【発明の詳細な説明】
【技術分野】
【０００１】
本願は、２００９年９月３０日に出願された「ＲＥＬ−９以降のためのＵＥ−ＲＳシーケンスの初期化」と題する米国仮特許出願番号第６１／２４７，４９１号、および２００９年１０月５日に出願された「ＲＥＬ−９以降のためのＵＥ−ＲＳシーケンスの初期化」と題する米国仮特許出願番号第６１／２４８，８３０号の利益を主張し、その各々は、全内容が引用によりここに組み込まれる。
【背景技術】
【０００２】
本開示は、一般的に無線通信に関し、より具体的には、無線通信システムのための基準信号（ＲＳ：reference signal）シーケンスの初期化に関する。
【０００３】
無線通信システムは、音声、データ、等といったさまざまなタイプの通信コンテンツを提供するために広く配備されている。これらのシステムは、利用可能なシステムリソース（たとえば、帯域幅、送信電力）を共有することにより複数のユーザーとの通信をサポートすることができる多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、３ＧＰＰロング・ターム・エボリューション（ＬＴＥ）システム、および直交周波数分割多元接続（ＯＦＤＭＡ）システムを含む。
【０００４】
一般的に、無線多元接続通信システムは、複数の無線端末のための通信を同時にサポートすることができる。各端末は、順方向リンクおよび逆方向リンクでの伝送を介して１つ以上の基地局と通信する。順方向リンク（または下りリンク、ＤＬ）は、基地局から端末への通信リンクのことを言い、逆方向リンク（または上りリンク、ＵＬ）は、端末から基地局への通信リンクのことを言う。この通信リンクは、単一入力単一出力システム、多入力単一出力システム、または多入力多出力（ＭＩＭＯ）システムによって確立されうる。
【０００５】
ＭＩＭＯシステムは、データ伝送のために、複数（ＮＴ個）の送信アンテナと複数（ＮＲ個）の受信アンテナを用いる。ＮＴ個の送信アンテナとＮＲ個の受信アンテナによって形成されるＭＩＭＯチャネルは、空間チャネルとも呼ばれるＮｓ個の独立チャネルに分解されることができ、ここで、Ｎｓ≦ｍｉｎ{ＮＴ，ＮＲ}である。Ｎｓ個の独立チャネルの各々は、ディメンションに相当する。複数の送信アンテナおよび受信アンテナによって生み出されるさらなるディメンションが利用されると、ＭＩＭＯシステムは、向上した性能（たとえば、より高いスループット、および／または、より高い信頼性）を提供することができる。
【０００６】
さらに、ＭＩＭＯを使用して１つの周波数帯で複数のＵＥ（または他の無線デバイス）に同時に送信することをアクセスポイント（または他の無線デバイス）に可能にさせる、マルチユーザーＭＩＭＯ（ＭＵ−ＭＩＭＯ）システムが提供される。その際、アクセスポイントは、ＵＥに、その周波数帯において１つ以上の信号で同時に送信されたデータを復調するためのＵＥ固有の基準信号（ＲＳ）を送信することができる。ＬＴＥのリリース８（Ｒｅｌ−８）では、シングルレイヤビームフォーミング（single-layer beamforming）のために、ＵＥ ＲＳシーケンスが、対応する下りリンク送信の１つ以上のリソースブロックの帯域幅に関し定められる。さらに、ＵＥ ＲＳ擬似ランダムシーケンスが、ＵＥ固有の識別子にしたがって生成される。
【発明の概要】
【０００７】
開示された態様のうちのいくつかの態様の基本的な理解を提供するために、簡潔な概要を以下に提示する。この概要は、広範な概観ではなく、重要な、または決定的な要素を特定することも、そのような態様の範囲を詳細に説明することも意図していない。その目的は、説明された特徴のうちのいくつかの概念を、後に提示されるより詳細な説明への前置きとして、簡潔なかたちで提示することである。
【０００８】
１つ以上の態様およびそれに対応する開示により、さまざまな態様が、ＭＵ−ＭＩＭＯ構成におけるＵＥ−ＲＳシーケンスの割り当て（assigning）および初期化（initializing）に関連して説明される。
【０００９】
ある特定の態様では、無線通信システムにおけるデータ通信方法が提供される。この方法は、複数のユーザー機器（ＵＥ）によって使用される、複数のユーザー機器固有の基準信号（ＵＥ−ＲＳ）の擬似ランダムシーケンスを初期化することを含むことができ、各ＵＥ−ＲＳに関連づけられた各擬似ランダムシーケンスの初期化は、特定のＵＥ識別子に依存せず、特定のＵＥに割り当てられたリソース帯域幅に依存しない。この方法はさらに、ＵＥ−ＲＳの擬似ランダムシーケンスを生成することを含みうる。この方法はさらに、複数のＵＥのうちの少なくとも１つのＵＥのために、共通リソースの一部に、擬似ランダムシーケンスのうちの少なくとも１つをマッピングすることを含みうる。
【００１０】
ある特定の態様では、無線通信システムにおけるデータ通信方法が提供される。この方法は、少なくとも１つのユーザー機器固有の基準信号（ＵＥ−ＲＳ：user equipment specific reference signal）の擬似ランダムシーケンスを受信することを含むことができ、この少なくとも１つの擬似ランダムシーケンスは、特定のＵＥ識別子に依存せず、かつ、特定のＵＥに割り当てられたリソース帯域幅に依存せず（independent）に、初期化されている。この方法はさらに、下りリンク帯域幅リソースでデータを受信することを含みうる。この方法はさらに、その下りリンク帯域幅リソースで受信されたデータを復号するためにＵＥ−ＲＳを使用することを含みうる。
【００１１】
ある特定の態様では、無線通信ネットワークにおける装置が提供される。この装置は、少なくとも１つのプロセッサを含むことができ、この少なくとも１つのプロセッサは、複数のユーザー機器（ＵＥ）によって使用される、複数のユーザー機器固有の基準信号（ＵＥ−ＲＳ）の擬似ランダムシーケンスを初期化するように構成され、各ＵＥ−ＲＳに関連づけられた各擬似ランダムシーケンスの初期化は、特定のＵＥ識別子に依存せず、特定のＵＥに割り当てられたリソース帯域幅に依存せず、この少なくとも１つのプロセッサは、ＵＥ−ＲＳの擬似ランダムシーケンスを生成し、複数のＵＥのうちの少なくとも１つのＵＥのために、共通リソースの一部に、擬似ランダムシーケンスのうちの少なくとも１つをマッピングするように構成されている。この装置はさらに、少なくとも１つのプロセッサに結合されたメモリを含むことができる。
【００１２】
ある特定の態様では、無線通信システムにおける装置が提供される。この装置は、少なくとも１つのプロセッサを含むことができ、この少なくとも１つのプロセッサは、少なくとも１つのユーザー機器固有の基準信号（ＵＥ−ＲＳ）の擬似ランダムシーケンスを受信するように構成され、この少なくとも１つの擬似ランダムシーケンスは、特定のＵＥ識別子に依存せず、かつ、ＵＥに割り当てられたリソース帯域幅に依存せずに、初期化されており、この少なくとも１つのプロセッサは、下りリンク帯域幅リソースでデータを受信し、その下りリンク帯域幅リソースで受信されたデータを復号するためにＵＥ−ＲＳを使用するように構成されている。この装置はさらに、少なくとも１つのプロセッサに結合されたメモリを含むことができる。
【００１３】
ある特定の態様では、無線通信ネットワークにおける装置が提供される。この装置は、複数のユーザー機器（ＵＥ）によって使用される、複数のユーザー機器固有の基準信号（ＵＥ−ＲＳ）の擬似ランダムシーケンスを初期化するための手段を含むことができ、各ＵＥ−ＲＳに関連づけられた各擬似ランダムシーケンスの初期化は、特定のＵＥ識別子に依存せず、特定のＵＥに割り当てられたリソース帯域幅に依存しない。この装置はさらに、ＵＥ−ＲＳの擬似ランダムシーケンスを生成するための手段を含みうる。この装置はさらに、複数のＵＥのうちの少なくとも１つのＵＥのために、共通リソースの一部に、擬似ランダムシーケンスのうちの少なくとも１つをマッピングするための手段を含みうる。
【００１４】
ある特定の態様では、無線通信システムにおける装置が提供される。この装置は、少なくとも１つのユーザー機器固有の基準信号（ＵＥ−ＲＳ）の擬似ランダムシーケンスを受信するための手段を含むことができ、この少なくとも１つの擬似ランダムシーケンスは、特定のＵＥ識別子に依存せず、かつ、ＵＥに割り当てられたリソース帯域幅に依存せずに、初期化されている。この装置はさらに、下りリンク帯域幅リソースでデータを受信するための手段を含みうる。この装置はさらに、その下りリンク帯域幅リソースで受信されたデータを復号するためにＵＥ−ＲＳを使用するための手段を含みうる。
【００１５】
ある特定の態様では、方法を実行するために少なくとも１つのプロセッサによって実行されるコンピュータ可読命令を記憶したコンピュータ可読媒体が提供される。この方法は、複数のユーザー機器（ＵＥ）によって使用される、複数のユーザー機器固有の基準信号（ＵＥ−ＲＳ）の擬似ランダムシーケンスを初期化することを含むことができ、各ＵＥ−ＲＳに関連づけられた各擬似ランダムシーケンスの初期化は、特定のＵＥ識別子に依存せず、特定のＵＥに割り当てられたリソース帯域幅に依存しない。この方法はさらに、ＵＥ−ＲＳの擬似ランダムシーケンスを生成することを含みうる。この方法はさらに、複数のＵＥのうちの少なくとも１つのＵＥのために、共通リソースの一部に、擬似ランダムシーケンスのうちの少なくとも１つをマッピングすることを含みうる。
【００１６】
ある特定の態様では、方法を実行するために少なくとも１つのプロセッサによって実行されるコンピュータ可読命令を記憶したコンピュータ可読媒体が提供される。この方法は、少なくとも１つのユーザー機器固有の基準信号（ＵＥ−ＲＳ）の擬似ランダムシーケンスを受信することを含むことができ、この少なくとも１つの擬似ランダムシーケンスは、特定のＵＥ識別子に依存せず、かつ、ＵＥに割り当てられたリソース帯域幅に依存せずに、初期化されている。この方法はさらに、下りリンク帯域幅リソースでデータを受信することを含みうる。この方法はさらに、その下りリンク帯域幅リソースで受信されたデータを復号するためにＵＥ−ＲＳを使用することを含みうる。
【００１７】
先に述べた目的および関連する目的を達成するために、１つ以上の態様は、以下に十分に説明され、特許請求の範囲で特に指摘される特徴を含む。以下の説明および添付の図面は、ある特定の例示的な態様をより詳細に説明するものであり、これらの態様の原理が用いられうるさまざまな手法のうちのほんのいくつかを示す。以下の詳細な説明を図面とともに考慮すると、他の利点および新規な特徴が明らかとなり、開示された態様は、そのようなすべての態様およびそれらの均等物を含むことを意図する。
【００１８】
以下に述べるより詳細な説明を図面とともに考慮すると、本開示の特徴、本質、および利点が、さらに明らかになる。なお、図中の同様の参照番号は、全体を通して同様のものを示す。
【図面の簡単な説明】
【００１９】
【図１】図１は、多元接続無線通信システムを示す図である。
【図２】図２は、通信システムを示すブロック図である。
【図３】図３は、ＭＵ−ＭＩＭＯ構成において基準信号（ＲＳ）を定め、初期化し、マッピングすることを容易にする例示的なシステムを示すブロック図である。
【図４】図４は、ＭＵ−ＭＩＭＯ構成におけるさまざまなユーザー機器（ＵＥ）のためのＰＵＳＣＨの割り当てを示すブロック図である。
【図５】図５は、ＭＵ−ＭＩＭＯ構成におけるＵＥ−ＲＳシーケンスの割り当ておよび初期化のための例示的な処理をアクセスポイントの観点から示したフローチャートである。
【図６】図６は、ＭＵ−ＭＩＭＯ構成におけるＵＥ−ＲＳシーケンスの受信および使用のための例示的な処理をユーザー機器（ＵＥ）の観点から示したフローチャートである。
【図７】図７は、ＭＵ−ＭＩＭＯ構成においてＲＳを定め、初期化し、マッピングすることを容易にする例示的なシステムを示すブロック図である。
【図８】図８は、ＭＵ−ＭＩＭＯ構成におけるＵＥ−ＲＳシーケンスの割り当ておよび初期化のための例示的な処理をアクセスポイントの観点から示したフローチャートである。
【図９】図９は、ＭＵ−ＭＩＭＯ構成におけるＵＥ−ＲＳシーケンスの受信および使用のための例示的な処理をユーザー機器（ＵＥ）の観点から示したフローチャートである。
【詳細な説明】
【００２０】
さまざまな態様が、ここで、図面を参照して説明される。以下の説明では、説明の目的で、多くの具体的な詳細が、１つ以上の態様の完全な理解を提供するために述べられる。しかしながら、さまざまな態様がこれらの具体的な詳細がなくても現実化されうることは明白である。他の事例において、周知の構造およびデバイスは、これらの態様の説明を容易にするために、ブロック図の形式で示される。
【００２１】
本明細書で説明される手法は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングル−キャリアＦＤＭＡ（ＳＣ-ＦＤＭＡ）ネットワーク、等といったさまざまな無線通信ネットワークのために使用されることができる。「ネットワーク」および「システム」という用語は、しばしば互換的に使用される。ＣＤＭＡネットワークは、ユニバーサル地上無線アクセス（ＵＴＲＡ）、ｃｄｍａ２０００等のような無線技術を実現することができる。ＵＴＲＡは、広帯域ＣＤＭＡ（Ｗ−ＣＤＭＡ）およびロー・チップ・レート（ＬＣＲ：Low Chip Rate）を含む。ｃｄｍａ２０００は、ＩＳ−２０００、ＩＳ−９５、およびＩＳ−８５６の規格をカバーする。ＴＤＭＡネットワークは、移動体通信のための全世界システム（ＧＳＭ（登録商標））のような無線技術を実現することができる。ＯＦＤＭＡネットワークは、進化型ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭ（登録商標）、等といった無線技術を実現することができる。ＵＴＲＡ、Ｅ−ＵＴＲＡ、およびＧＳＭは、ユニバーサル・モバイル・テレコミュニケーション・システム（ＵＭＴＳ）の一部である。ロング・ターム・エボリューション（ＬＴＥ）は、Ｅ−ＵＴＲＡを使用するＵＭＴＳの最新のリリースである。ＵＴＲＡ、Ｅ−ＵＴＲＡ、ＧＳＭ、ＵＭＴＳ、およびＬＴＥは、「第３世代パートナーシッププロジェクト」（３ＧＰＰ）と称する組織による文書で説明されている。ｃｄｍａ２０００は、「第３世代パートナーシッププロジェクト２」（３ＧＰＰ２）と称する組織による文書で説明されている。これらのさまざまな無線技術および規格は、当該技術分野で周知である。明瞭性のために、この技術のある特定の例示的な態様は、ＬＴＥに関して以下に説明され、ＬＴＥの専門用語が、以下の説明の大半で用いられる。
【００２２】
シングルキャリア周波数分割多元接続（ＳＣ−ＦＤＭＡ）は、シングルキャリア変調と周波数領域等化を利用した技術である。ＳＣ−ＦＤＭＡは、ＯＦＤＭＡシステムと同様の性能を有し、全体的な複雑さもほぼ同じである。ＳＣ−ＦＤＭＡ信号は、その固有のシングルキャリア構造により、より低いピーク対平均電力比（ＰＡＰＲ：peak-to-average power ratio）を有する。ＳＣ−ＦＤＭＡは、特に、送信電力効率の観点から、より低いＰＡＰＲが移動端末にとって非常に有益である上りリンク通信において、非常に注目されている。それは現在、３ＧＰＰロング・ターム・エボリューション（ＬＴＥ）または進化型ＵＴＲＡにおける上りリンク多元接続方式のための動作前提である。
【００２３】
図１を参照すると、一実施形態に係る多元接続無線通信システムが示されている。アクセスポイント１００（ＡＰ）は、複数のアンテナグループを含み、１つは１０４、１０６を含み、もう１つは１０８、１１０を含み、さらにもう１つは１１２、１１４を含む。図１では、各アンテナグループにつき２つのアンテナのみが示されているが、より多くの、またはより少ないアンテナが、各アンテナグループで利用されうる。アクセス端末１１６（ＡＴ）は、アンテナ１１２、１１４と通信しており、アンテナ１１２、１１４は、順方向リンク１２０でアクセス端末１１６に情報を送信し、逆方向リンク１１８でアクセス端末１１６から情報を受信する。アクセス端末１２２は、アンテナ１０６、１０８と通信しており、アンテナ１０６、１０８は、順方向リンク１２６でアクセス端末１２２に情報を送信し、逆方向リンク１２４でアクセス端末１２２から情報を受信する。ＦＤＤシステムでは、通信リンク１１８、１２０、１２４、１２６は、通信のために、異なる周波数を使用しうる。たとえば、順方向リンク１２０は、逆方向リンク１１８によって使用されるものとは異なる周波数を使用しうる。
【００２４】
各アンテナグループおよび／またはそれらが通信するように設計されているエリアは、しばしばアクセスポイントのセクタと呼ばれる。この実施形態では、各アンテナグループは、アクセスポイント１００によってカバーされるエリアのセクタ内のアクセス端末と通信するように設計されている。
【００２５】
順方向リンク１２０および１２６での通信において、アクセスポイント１００の送信アンテナは、異なるアクセス端末１１６および１２２のための順方向リンクの信号対雑音比を改善するためにビームフォーミングを利用する。さらに、そのカバレッジにわたってランダムに散在するアクセス端末に送信するためにビームフォーミングを用いるアクセスポイントは、すべてのアクセス端末に１つのアンテナによって送信するアクセスポイントよりも、近傍のセル内のアクセス端末にもたらす干渉が少ない。
【００２６】
アクセスポイントは、端末と通信するために使用される固定局であることができ、アクセスポイント、ノードＢ、進化型ノードＢ（ｅＮＢ）、または何らかの他の専門用語で呼ばれることもできる。アクセス端末はまた、アクセス端末、ユーザー機器（ＵＥ）、無線通信デバイス、端末、アクセス端末、または何らかの他の専門用語で呼ばれることもできる。さらに、アクセスポイントは、マクロセルアクセスポイント、フェムトセルアクセスポイント、ピコセルアクセスポイント、等であることができる。
【００２７】
さらに、説明されているように、アクセスポイント１００は、ＭＩＭＯ、シングルユーザーＭＩＭＯ（ＳＵ−ＭＩＭＯ）、マルチユーザーＭＩＭＯ（ＭＵ−ＭＩＭＯ）、等を使用して、アクセス端末１１６および１２２と通信することができる。その際、アクセスポイント１００は、アクセス端末１１６および１２２に基準信号（ＲＳ）を送信することができ、その基準信号は、アクセスポイント１００から続いて送られてくる信号を復調するために使用されることができる。たとえば、ＲＳはＵＥに固有であることができる。一例では、アクセス端末１１６および１２２（および／またはアクセスポイント１００と通信するさらなるアクセス端末）のためのＲＳは、ＣＤＭ、ＦＤＭ、および／または、ダイバーシチを促進するためにＣＤＭとＦＤＭの組み合わせであることができる。
【００２８】
図２は、ＭＩＭＯシステム２００における、（アクセスポイントまたはアクセス端末でありうる）送信機システム２１０と（アクセス端末またはアクセスポイントでありうる）受信機システム２５０の実施形態のブロック図である。送信機システム２１０では、多くのデータストリームのトラヒックデータが、データソース２１２から送信（ＴＸ）データプロセッサ２１４に供給される。
【００２９】
ある実施形態において、各データストリームは、それぞれの送信アンテナを介して送信される。ＴＸデータプロセッサ２１４は、各データストリームのトラヒックデータを、フォーマットし、このデータストリームのために選択された特定の符号化方式に基づいて符号化し、インタリーブして、符号化されたデータを供給する。
【００３０】
各データストリームの符号化されたデータは、ＯＦＤＭ技術を用いてパイロットデータと多重化されうる。パイロットデータは、一般的に、既知の手法で処理される既知のデータパターンであり、チャネル応答を推定するために受信機システムで使用されることができる。そして、多重化されたパイロットと各データストリームのための符号化されたデータは、そのデータストリームのために選択された特定の変調方式（たとえば、ＢＰＳＫ、ＱＰＳＫ、Ｍ−ＰＳＫ、またはＭ−ＱＡＭ）に基づいて変調（すなわち、シンボルマッピング）され、変調シンボルが供給される。各データストリームのデータレート、符号化、および変調は、プロセッサ２３０によって実行される命令によって決定されることができる。
【００３１】
次いで、すべてのデータストリームの変調シンボルは、（たとえば、ＯＦＤＭのための）変調シンボルをさらに処理することができるＴＸ ＭＩＭＯプロセッサ２２０に供給される。ＴＸ ＭＩＭＯプロセッサ２２０は、その後、ＮＴ個の変調シンボルストリームをＮＴ個の送信機（ＴＭＴＲ）２２２ａ乃至２２２ｔに供給する。ある特定の実施形態では、ＴＸ ＭＩＭＯプロセッサ２２０は、データストリームのシンボル、および、そのシンボルが送信されるアンテナに、ビームフォーミング重みを適用する。
【００３２】
各送信機２２２は、１つ以上のアナログ信号を供給するために、それぞれのシンボルストリームを受け取って処理し、さらに、ＭＩＭＯチャネルによる送信に適した変調信号を供給するために、このアナログ信号を調整（たとえば、増幅、フィルタリング、およびアップコンバート）する。送信機２２２ａ乃至２２２ｔからのＮＴ個の変調信号は、その後、ＮＴ個のアンテナ２２４ａ乃至２２４ｔからそれぞれ送信される。
【００３３】
受信機システム２５０では、送信された変調信号がＮＲ個のアンテナ２５２ａ乃至２５２ｒによって受信され、各アンテナ２５２からの受信信号は、それぞれの受信機（ＲＣＶＲ）２５４ａ乃至２５４ｒに供給される。各受信機２５４は、受信されたそれぞれの信号を調整（たとえば、フィルタリング、増幅、およびダウンコンバート）し、この調整された信号をデジタル化してサンプルを供給し、さらにこのサンプルを処理して、対応する「受信された」シンボルストリームを供給する。
【００３４】
次いで、ＲＸデータプロセッサ２６０は、ＮＲ個の受信機２５４から、ＮＲ個の受信されたシンボルストリームを受け取り、特定の受信機処理技術に基づいて処理し、ＮＴ個の「検出された」シンボルストリームを供給する。ＲＸデータプロセッサ２６０は、その後、検出された各シンボルストリームを復調し、デインタリーブし、復号し、そのデータストリームのトラヒックデータを復元する。ＲＸデータプロセッサ２６０による処理は、送信機システム２１０におけるＴＸ ＭＩＭＯプロセッサ２２０およびＴＸデータプロセッサ２１４によって実行されるものと相補的である。
【００３５】
プロセッサ２７０は、（下記で述べるように）どのプリコーディングマトリクスを使用すべきかを周期的に決定する。プロセッサ２７０は、マトリクスインデックス部とランク値部を含む逆方向リンクメッセージを規定する。
【００３６】
逆方向リンクメッセージは、通信リンクおよび／または受信されたデータストリームに関するさまざまなタイプの情報を含むことができる。そして、逆方向リンクメッセージは、データソース２３６から多くのデータストリームのトラヒックデータを受け取るＴＸデータプロセッサ２３８によって処理され、変調器２８０によって変調され、送信機２５４ａ乃至２５４ｒによって調整され、送信機システム２１０へ送られる。
【００３７】
送信機システム２１０では、受信機システム２５０からの変調信号が、アンテナ２２４によって受信され、受信機２２２によって調整され、復調器２４０によって復調され、ＲＸデータプロセッサ２４２によって処理されて、受信機システム２５０によって送信された逆方向リンクメッセージが抽出される。そして、プロセッサ２３０は、ビームフォーミング重みを決定するためにどのプリコーディングマトリクスを使用すべきかを決定し、この抽出されたメッセージを処理する。
【００３８】
ある態様では、論理チャネルは、制御チャネルとトラヒックチャネルに分類される。論理制御チャネルは、システム制御情報を報知するためのＤＬチャネルである、報知制御チャネル（ＢＣＣＨ：Broadcast Control Channel）を含む。ページング制御チャネル（ＰＣＣＨ：Paging Control Channel）は、ページング情報を転送するＤＬチャネルである。マルチキャスト制御チャネル（ＭＣＣＨ：Multicast Control Channel）は、ポイント・ツー・マルチポイントのＤＬチャネルであり、１つまたはいくつかのマルチメディア・ブロードキャスト・マルチキャスト・サービス・トラヒックチャネル（ＭＴＣＨ：ＭＢＭＳ（Multimedia Broadcast and Multicast Service） Traffic Channel）のためのＭＢＭＳのスケジューリングおよび制御情報を送信するために使用される。一般的に、無線リソース制御（ＲＲＣ：Radio Resource Control）接続の確立後、このチャネルは、ＭＢＭＳ（注：古いＭＣＣＨ＋ＭＳＣＨ）を受信するＵＥによってのみ使用される。専用制御チャネル（ＤＣＣＨ：Dedicated Control Channel）は、専用の制御情報を送信し、ＲＲＣ接続を有するＵＥによって使用される、ポイント・ツー・ポイントの双方向チャネルである。ある態様では、論理トラヒックチャネルは、ユーザー情報を転送するための、１つのＵＥ専用のポイント・ツー・ポイントの双方向チャネルである、専用トラヒックチャネル（ＤＴＣＨ：Dedicated Traffic Channel）を含む。また、マルチキャストトラヒックチャネル（ＭＴＣＨ：Multicast Traffic Channel）は、トラヒックデータを送信するためのポイント・ツー・マルチポイントのＤＬチャネルである。
【００３９】
ある態様において、トランスポートチャネルは、下りリンク（ＤＬ）と上りリンク（ＵＬ）に分類される。ＤＬトランスポートチャネルは、セル全体に報知され、他の制御／トラヒックチャネルのために使用されうるＰＨＹリソースにマッピングされる、報知チャネル（ＢＣＨ：Broadcast Channel）、下りリンク共用データチャネル（ＤＬ−ＳＤＣＨ：Downlink Shared Data Channel）、ページングチャネル（ＰＣＨ：Paging Channel）を含み、ＰＣＨは、ＵＥの省電力をサポートする（ＤＲＸサイクルが、ネットワークによってＵＥに示される）。ＵＬトランスポートチャネルは、ランダムアクセスチャネル（ＲＡＣＨ：Random Access Channel）、要求チャネル（ＲＥＱＣＨ：Request Channel）、上りリンク共用データチャネル（ＵＬ−ＳＤＣＨ：Uplink Shared Data Channel）、複数のＰＨＹチャネルを含む。ＰＨＹチャネルは、ＤＬチャネルとＵＬチャネルのセットを含む。
【００４０】
ＤＬ ＰＨＹチャネルは、物理下り共用チャネル（ＰＤＳＣＨ：Physical Downlink Shared Channel）、物理報知チャネル（ＰＢＳＨ：Physical Broadcast Channel）、物理マルチキャストチャネル（ＰＭＣＨ：Physical Multicast Channel）、物理下りリンク制御チャネル（ＰＤＣＣＨ：Physical Downlink Control Channel）、物理ハイブリッド自動再送要求インジケータチャネル（ＰＨＩＣＨ：Physical Hybrid Automatic Repeat Request Indicator Channel）、物理制御フォーマットインジケータチャネル（ＰＣＦＩＣＨ：Physical Control Format Indicator Channel）を含む。
【００４１】
ＵＬ ＰＨＹチャネルは、物理ランダムアクセスチャネル（ＰＲＡＣＨ：Physical Random Access Channel）、物理上りリンク共用チャネル（ＰＵＳＣＨ：Physical Uplink Shared Channel）、物理上りリンク制御チャネル（ＰＵＣＣＨ：Physical Uplink Control Channel）を含む。
【００４２】
ある態様では、シングルキャリア波形の低いＰＡＲ特性を保持するチャネル構造（任意の所与の時間に、チャネルが、周波数において隣接している、または均等な間隔で配置されている）が提供される。
【００４３】
本明細書の目的のために、以下の略語が用いられる。
【００４４】
ACK         肯定応答（Acknowledgement）
AM          肯定応答モード（Acknowledged Mode）
AMD         肯定応答モードデータ（Acknowledged Mode Data）
ARQ         自動再送要求（Automatic Repeat Request）
BCCH        報知制御チャネル（Broadcast Control Channel）
BCH         報知チャネル（Broadcast Channel）
C-          制御−（Control-）
CCE         制御チャネルエレメント（Control Channel Element）
CCCH        共通制御チャネル（Common Control Channel）
CCH         制御チャネル（Control Channel）
CCTrCH      符号化された複合トランスポートチャネル（Coded Composite Transport Channel）
CDM         符号分割多重（Code Division Multiplexing）
CP          サイクリックプレフィクス（Cyclic Prefix）
CQI         チャネル品質インジケータ（Channel Quality Indicator）
CRC         巡回冗長検査（Cyclic Redundancy Check）
CRS         共通基準信号（Common Reference Signal）
CTCH        共通トラヒックチャネル（Common Traffic Channel）
DCCH        専用制御チャネル（Dedicated Control Channel）
DCH         専用チャネル（Dedicated Channel）
DCI         下りリンク制御情報（Downlink Control Information）
DL          下りリンク（DownLink）
DRS         専用基準信号（Dedicated Reference Signal）
DSCH        下りリンク共用チャネル（Downlink Shared Channel）
DTCH        専用トラヒックチャネル（Dedicated Traffic Channel）
E-CID       拡張セル識別（Enhanced Cell Identification）
FACH        順方向リンクアクセスチャネル（Forward link Access Channel）
FDD         周波数分割複信（Frequency Division Duplex）
FSTD        周波数切替送信ダイバーシチ（Frequency Switched Transmit Diversity）
HARQ        ハイブリッド自動再送要求（Hybrid Automatic Repeat/Request）
L1          レイヤ１（物理レイヤ）
L2          レイヤ２（データリンクレイヤ）
L3          レイヤ３（ネットワークレイヤ）
LI          長さインジケータ（Length Indicator）
LLR         対数尤度比（Log-Likelihood Ratio）
LSB         最下位ビット（Least Significant Bit）
MAC         媒体アクセス制御（Medium Access Control）
MBMS        マルチメディア・ブロードキャスト・マルチキャスト・サービス（Multimedia Broadcast Multicast Service）
MCCH        ＭＢＭＳポイント・ツー・マルチポイント制御チャネル（MBMS point-to-multipoint Control Channel）
MRW         移動受信ウィンドウ（Move Receiving Window）
MSB         最上位ビット（Most Significant Bit）
MSCH        ＭＢＭＳポイント・ツー・マルチポイント・スケジューリングチャネル（MBMS point-to-multipoint Scheduling Channel）
MTCH        ＭＢＭＳポイント・ツー・マルチポイント・トラヒックチャネル（MBMS point-to-multipoint Traffic Channel）
NACK        否定応答（Non-Acknowledgement）
PCCH        ページング制御チャネル（Paging Control Channel）
PCH         ページングチャネル（Paging Channel）
PDCCH       物理下りリンク制御チャネル（Physical Downlink Control Channel）
PDU         プロトコルデータユニット（Protocol Data Unit）
PHY         物理レイヤ（Physical layer）
PhyCH       物理チャネル（Physical Channels）
PMI         プリコーディング・マトリクス・インジケータ（Precoding Matrix Indicator）
PRACH       物理ランダムアクセスチャネル（Physical Random Access Channel）
PUCCH       物理上りリンク制御チャネル（Physical Uplink Control Channel）
RACH        ランダムアクセスチャネル（Random Access Channel）
RB          リソースブロック（Resource Block）
RLC         無線リンク制御（Radio Link Control）
RRC         無線リソース制御（Radio Resource Control）
RE          リソースエレメント（Resource Element）
RS          基準信号（Reference Signal）
RTT         ラウンドトリップタイム（Round Trip Time）
Rx          受信（Receive）
SAP         サービスアクセスポイント（Service Access Point）
SDU         サービスデータユニット（Service Data Unit）
SFBC        空間周波数ブロック符号（Space Frequency Block Code）
SHCCH       共用チャネル制御チャネル（Shared channel Control Channel）
SN          シーケンス番号（Sequence Number）
SUFI        スーパーフィールド（Super Field）
TA          タイミングアドバンス（Timing Advance）
TCH         トラヒックチャネル（Traffic Channel）
TDD         時分割複信（Time Division Duplex）
TFI         トランスポートフォーマットインジケータ（Transport Format Indicator）
TM          透過モード（Transparent Mode）
TMD         透過モードデータ（Transparent Mode Data）
TTI         送信時間間隔（Transmission Time Interval）
Tx          送信（Transmit）
U-          ユーザー−（User-）
UE          ユーザー機器（User Equipment）
UL          上りリンク（UpLink）
UM          未応答モード（Unacknowledged Mode）
UMD         未応答モードデータ（Unacknowledged Mode Data）
UMTS        ユニバーサル・モバイル・テレコミュニケーションズ・システム（Universal Mobile Telecommunications System）
UTRA        ＵＭＴＳ地上無線アクセス（UMTS Terrestrial Radio Access）
UTRAN       ＵＭＴＳ地上無線アクセスネットワーク（UMTS Terrestrial Radio Access Network）
MBSFN       マルチキャスト・ブロードキャスト単一周波数ネットワーク（multicast broadcast single frequency network）
MCE         ＭＢＭＳ協調エンティティ（MBMS coordinating entity）
MCH         マルチキャストチャネル（multicast channel）
DL-SCH      下りリンク共用チャネル（downlink shared channel）
MSCH        ＭＢＭＳ制御チャネル（MBMS control channel）
PDCCH       物理下りリンク制御チャネル（physical downlink control channel）
PDSCH       物理下りリンク共用チャネル（physical downlink shared channel）
図３は、ＭＵ−ＭＩＭＯ構成において、ＵＥ−ＲＳの生成と、関連するリソースマッピングと、を容易にする例示的なシステム３００を示す。システム３００は、たとえば、無線デバイス３０４に無線ネットワークへのアクセスを提供する、基地局、フェムトセルアクセスポイント、ピコセルアクセスポイント、中継ノード、移動基地局、ピアツーピア通信モードで動作する移動デバイス、等であることができるアクセスポイント３０２を含む。無線デバイス３０４は、移動デバイスのようなユーザー機器（ＵＥ）、その一部、または、実質的には、無線ネットワークにアクセスすることができるいずれのデバイスであることもできる。
【００４５】
アクセスポイント３０２は、共用リソース上のデータを復号するために１つ以上のＵＥによって使用されうる複数の基準信号を作り出す、ＵＥ−ＲＳシーケンスを定めるコンポーネント３０６、上記１つ以上のＵＥのための基準信号の擬似ランダムシーケンスを作り出す、ＵＥ−ＲＳシーケンス初期化コンポーネント３０８、所与のＵＥ−ＲＳ擬似ランダムシーケンスにＵＥをマッピングする、ＵＥ−ＲＳマッピングコンポーネント３１０、ＵＥ−ＲＳマッピング情報を対応するＵＥに伝達する、ＲＳ情報シグナリングコンポーネント３１２を含むことができる。無線デバイス３０４は、アクセスポイントからＲＳ送信に関連する１つ以上のパラメータを得るＲＳ情報受信コンポーネント３１４、そのパラメータに少なくとも部分的に基づいて１つ以上のＲＳを復号するＲＳ復号コンポーネント３１６を含むことができる。
【００４６】
一例によると、説明されるように、ＭＵ−ＭＩＭＯ構成におけるＲＳは、ＣＤＭ、ＦＤＭ、および／またはその組み合わせであることができる。たとえば、ＲＳがＣＤＭである場合、アクセスポイント３０２は、１つ以上の無線デバイスのために選択された擬似ランダムシーケンスによってＲＳを多重化することができる。一例では、ＵＥ−ＲＳシーケンスを定めるコンポーネント３０６は、１つ以上のＵＥに共用リソースで送られたデータを復号するために利用されうる複数のＵＥ−ＲＳを生成することができる。ＭＵ−ＭＩＭＯ構成では、共用帯域幅の割り当ておよび／または位置の割り当てを有するデバイスは完全にアライメントされ得るわけではない、ということが認識されるべきである。したがって、ＵＥ−ＲＳシーケンスを定めるコンポーネント３０６は、（ＬＴＥのリリース８の場合のように）ＰＤＳＣＨの帯域幅に基づくのではなく、関連するセルの全帯域幅に基づいて、複数のＵＥ−ＲＳを生成することができる。別の態様では（たとえば、マルチセルＭＵ−ＭＩＭＯをサポートするために）、ＵＥ−ＲＳシーケンスを定めるコンポーネント３０６は、帯域幅不可知手法で（in a bandwidth agnostic manner）、たとえば、リソースブロック（ＲＢ）に関する最も広い下りリンク帯域幅構成によって、ＵＥ−ＲＳを生成することができる。
【００４７】
ＵＥ−ＲＳが定められると、ＵＥ−ＲＳシーケンス初期化コンポーネント３０８は、共用リソースを復号するためにＵＥに割り当てられるＵＥ−ＲＳ擬似ランダムシーケンスを生成することができる。ＭＵ−ＭＩＭＯ構成では、同一のＰＤＳＣＨリソースを使用するためにペアにされた無線デバイスのためのアンテナポートは、直交のままであることが望まれうる。この目的のために、ＵＥ−ＲＳシーケンス初期化コンポーネント３０８は、（ＬＴＥリリース８でのＵＥ識別子とは対照的に）セル識別子に部分的に基づいてＵＥ−ＲＳシーケンスを初期化することができる。アンテナポートは共通のメトリックを使用するので、これは直交性を確実にすることができる。その際、たとえば、既知であることができる、両方のアンテナポートのための、リソースブロック識別子、アンテナポートインデックス、等といった他の共通のメトリックが利用されることができる。ＵＥ−ＲＳマッピングコンポーネント３１０は、直交性を維持する所定のマッピング方式を使用して（たとえば、帯域の一端から連続的に、帯域の中心から連続的に、等）、１つ以上の無線デバイスに、ＵＥ−ＲＳ擬似ランダムシーケンスと共用リソースを割り当てることができる。
【００４８】
図３において、ＲＳ情報シグナリングコンポーネント３１２は、無線デバイス３０４に対応する、ＲＳ擬似ランダムシーケンス、関連するリソース、および／または関連するパラメータをシグナリングすることができる。無線デバイス３０４において、ＲＳ情報受信コンポーネント３１４は、アクセスポイント３０２から、受信されたＲＳ擬似ランダムシーケンス、関連する共用リソース、および／またはパラメータを得ることができる。ＲＳ復号コンポーネント３１６は、たとえば、擬似ランダムシーケンスを使用して、共用リソースでのアクセスポイント３０２からの無線デバイス３０４に固有のＲＳを復号することができる。
【００４９】
いくつかの通信システムでは、シングルレイヤビームフォーミングをサポートするために、ＵＥ固有の基準信号（ＵＥ−ＲＳ）が指定されうる。たとえば、ＬＴＥ Ｒｅｌ−８のＤＬ送信モード７において、ＵＥ−ＲＳシーケンスｒ（ｍ）は、
【数１】
2013507060.tif 000003
【００５０】
によって定められ、ここで、
【数２】
2013507060.tif 000004
【００５１】
は、対応するＰＤＳＣＨ送信のリソースブロックにおける帯域幅を表す。擬似ランダムシーケンスｃ（ｉ）は、あらかじめ定められることができる。擬似ランダムシーケンスジェネレータは、ｎＲＮＴＩが定められる各サブフレームの最初に、
【数３】
2013507060.tif 000005
【００５２】
を用いて初期化されることができ、ＵＥに固有のＩＤであることができる。
【００５３】
他の通信システムでは、２つのＵＥ−ＲＳアンテナポートを用いたデュアルストリームビームフォーミングがサポートされる。たとえば、ＬＴＥ Ｒｅｌ−９では、下記のことが言える：
・１）２つのアンテナポートは、ＣＤＭである。
【００５４】
・２）動的なランクの適用がサポートされる：すなわち、ＵＥは、レイヤ２のシグナリングを使用して（ＰＤＣＣＨで）、ランク１のＤＬ送信、またはランク２のＤＬ送信、のいずれかを示されうる。ランク１の送信の場合、ＵＥは、どのアンテナポートが使用されるべきかを明示的に示される。
【００５５】
・３）ＭＵ−ＭＩＭＯがサポートされる：すなわち、同一のＰＤＳＣＨリソースを使用する２つのＵＥが、ペアにされることができる。各ＵＥは、使用されるアンテナポートを示されるが、それがＭＵ−ＭＩＭＯ送信であるのか、またはＳＵ−ＭＩＭＯ送信であるのかは示されない。
【００５６】
ＭＵ−ＭＩＭＯ動作では、ペアにされたＵＥのための２つのＵＥ−ＲＳアンテナポートが、擬似ランダムシーケンスと割り当てられたＰＤＳＣＨリソースとを使用したリソースマッピングの後に、直交のままであるという利点がある。しかしながら、上記式（１）からわかるように、シーケンスがＵＥに固有のＩＤに基づいて初期化された場合、ペアにされたＵＥのために生成されたシーケンスは、もはや同一ではない。結果として、直交性は維持され得ない。さらに、ＵＥ−ＩＤは、ペアにされたＵＥ間で相互に既知であることができないので、一方のＵＥは、ペアにされた他方のＵＥによって使用される擬似ランダムシーケンスを知ることができない。そのような非直交性と他のランダムシーケンスについての未知の情報は、ＵＥ−ＲＳに重大な干渉をもたらしうる。
【００５７】
別の問題は、たとえば、（１）において、ランダムシーケンスが、割り当てられたＰＤＳＣＨ帯域幅、
【数４】
2013507060.tif 000006
【００５８】
に依存して生成され、割り当てられたＰＤＳＣＨリソースの特定の位置にマッピングされる場合である。ＭＵ−ＭＩＭＯ送信においてペアにされたＵＥは、図４に示すとおり、割り当てられた帯域幅および割り当てられた位置の両方について、完全にアラインメントされ得るわけではない。図４を参照すると、第１のＵＥに割り当てられた第１のＰＤＳＣＨ４０１と、第１のＵＥとペアにされた第２のＵＥに割り当てられた第２のＰＤＳＣＨ４０２が示されている。第１および第２のＰＤＳＣＨ４０１、４０２に関連づけられたＰＤＳＣＨ帯域幅がアラインメントしていないことは明らかである。そのような場合、ペアにされたＵＥのための擬似ランダムシーケンスは、直交することができない。
【００５９】
上記の問題を鑑みて、さまざまなＵＥ−ＲＳシーケンス初期化方式が用いられ、各ＵＥ−ＲＳに関連づけられた各擬似ランダム（ＰＲ）シーケンスの初期化は、特定のＵＥ識別子に依存せず、特定のＵＥに割り当てられたリソース帯域幅に依存しない。
【００６０】
一態様では、ＵＥ−ＲＳシーケンスの初期化は、多くの異なる手法で、ＵＥ識別子に依存せずに行われることができる。ある特定の実施形態において、これは、単に初期化からＵＥ識別子を取り除くことによって達成されることができる。すなわち、
【数５】
2013507060.tif 000007
【００６１】
である。ゆえに、初期化は、ＵＥ固有のＩＤに依存しない。一般的に、１つは、
【数６】
2013507060.tif 000008
【００６２】
を有することができる。シーケンスは、依然としてセルに依存し、サブフレームに依存している。結果として、セル間干渉のランダム化が依然として実現されることができる。
【００６３】
いくつかの実施形態において、ＵＥ−ＲＳシーケンスの初期化は、
【数７】
2013507060.tif 000009
【００６４】
とそれぞれ表される、リソースブロック識別子（ＲＢＩＤ）および／またはアンテナポートインデックス（AntPortIdx）の関数として初期化を行うことにより、特定のＵＥ識別子に依存せずに行われることができる。いくつかのケースでは直交性を維持することはできないが、少なくとも、シーケンスは、ＭＵ−ＭＩＭＯ送信でペアにされたＵＥにとって既知である。ＲＢＩＤは、連続的に生成されることも、または、特定のシーケンス対リソースマッピングアプローチ（たとえば、共通基準信号（ＣＲＳ：common reference signal）の場合と同様に、中心からナンバリングを開始し、高い方／低い方に向かって増加させる）によって生成されることもできる。
【００６５】
いくつかの実施形態において、ＵＥ−ＲＳシーケンスの初期化は、サイクリックプレフィクス（ＣＰ）のタイプ（すなわち、ノーマルなサイクリックプレフィクスまたは拡張サイクリックプレフィクス）の関数であることができる。たとえば、関数は、次のように表されることができる。
【数８】
2013507060.tif 000010
【００６６】
ある特定の実施形態では、上記の依存性の異なる組み合わせが用いられることができる。たとえば、ＵＥ−ＲＳシーケンスの初期化は、１）ＲＢＩＤとAntPortIdx、２）ＲＢＩＤとＮＣＰ、３）AntPortIdxとＮＣＰ、または４）ＲＢＩＤとAntPortIdxとＮＣＰ、等の関数であることができる。
【００６７】
別の態様において、ＵＥ−ＲＳランダムシーケンスの生成は、ペアにされたＵＥが、ＰＤＳＣＨリソースの割り当てに関係なく、依然として直交ＵＥ−ＲＳシーケンスを有するように行われることができる。これは、たとえば、特定のＵＥに割り当てられたリソース帯域幅に依存せずにＵＥ−ＲＳシーケンスの生成を行うことにより、達成されることができる。このようにしてリソース帯域幅への依存が取り除かれることにより、ＵＥ−ＲＳシーケンスおよび関連するリソース割り当ての受信の際に、関連するＵＥがアラインメントされる必要が緩和される。ある特定の実施形態において、ＵＥ−ＲＳシーケンスの生成は、所与のセルの最大可能帯域幅に基づき、ある所定の手法で（たとえば、帯域の一端または帯域の中心から連続的に、等）、ＤＬリソースにマッピングされる。すなわち、
【数９】
2013507060.tif 000011
【００６８】
であり、ここでｍは、上記式（１）で定められ、
【数１０】
2013507060.tif 000012
【００６９】
は、無線通信システムにおける特定のセルのＤＬ帯域幅を表す。
【００７０】
考えられうるマルチセルＭＵ−ＭＩＭＯサポートと、ＬＴＥ Ｒｅｌ−８では共通基準信号（ＣＲＳ）が帯域幅不可知手法で生成されるという事実を鑑みると、ＵＥ−ＲＳシーケンスもまた、帯域幅不可知とすることができる。すなわち、
【数１１】
2013507060.tif 000013
【００７１】
であり、ここで、ＮＲＢ［ＤＬ，ｍａｘ]（ＮＲＢ［ｍａｘ，ＤＬ]とも言う）は、ＲＢの数、たとえば、１１０個のＲＢに関する最大ＤＬ帯域幅構成である。生成されたＵＥ−ＲＳシーケンスのＵＥ−ＲＳリソースへのマッピングは、ＣＲＳと同じであることができる（たとえば、生成されたシーケンスから帯域へのマッピングが帯域幅不可知となるように、中心から始まり、高い方／低い方に向かってマッピングする）。より具体的には、マッピングされたシンボル、
【数１２】
2013507060.tif 000014
【００７２】
（ここで、ｋは周波数のインデックスであり、ｌはシンボルのインデックスであり、ｐはアンテナポートインデックスである）は、
【数１３】
2013507060.tif 000015
【００７３】
と同様であることができ、ｋは、（１２個のリソースエレメントまたはＲＢサイズに対し）６個のリソースエレメントの刻み幅を有する。したがって、ｍ’の範囲は、
【数１４】
2013507060.tif 000016
【００７４】
である。なお、ＵＥ−ＲＳは、ＣＲＳの場合のように６個のＲＢごとではなく、ＲＢごとにマッピングされることができるという点に留意されたい。
【００７５】
図５は、ＭＵ−ＭＩＭＯ構成におけるＵＥ−ＲＳシーケンスの割り当ておよび初期化のための例示的な処理５００をアクセスポイント（たとえば、ｅＮＢ）の観点から示したフローチャートである。処理５００は、開始状態５０１から始まり、複数のＵＥによって使用されるＵＥ−ＲＳ擬似ランダム（ＰＲ）シーケンスが初期化される動作５１０に進むが、ここで、各ＵＥ−ＲＳに関連づけられた各ＰＲシーケンスの初期化は、特定のＵＥ識別子に依存せず、および／または、特定のＵＲに割り当てられたリソース帯域幅に依存しない。
【００７６】
上述したとおり、ＵＥ−ＲＳ ＰＲシーケンスの初期化に関連する第１の非依存性は、上記式（３）によって定められたもののように、初期化からＵＥ識別子を取り除くことにより、および／または、ＲＢＩＤ、AntPortIdx、ＲＢＩＤ、ＮＣＰ、またはそれらの任意の組み合わせといった、ＵＥに固有ではないパラメータの関数として初期化を行うことにより、達成されることができる。リソース帯域幅に関連する第２の非依存性は、複数のＵＥ−ＲＳを含む特定のセルの帯域幅に少なくとも部分的に基づいて複数のＵＥ−ＲＳを初期化することにより達成されることができる。上述したように、これは、特定のＵＥに関連づけられたリソース帯域幅への依存を取り除き、ＵＥ−ＲＳシーケンスおよび関連するリソース割り当ての受信の際に、関連するＵＥがアラインメントされる必要を緩和する。
【００７７】
処理５００は、動作５２０に進み、ＵＥ−ＲＳ ＰＲシーケンスは、たとえば、式（１）によって定められた手順を使用して生成される。ＰＲシーケンスは、セル識別子（ＮIDcell）、リソースブロック識別子（ＲＢＩＤ）等、といった共通の（ＵＥに固有でない）識別子を用いて生成されることができるので、セルのアンテナは、同様の割り当てリソースを有するデバイスのためのシーケンス割り当ての直交性を維持することができる。
【００７８】
処理５００は、動作５３０に進み、そのようにして生成されたＵＥ−ＲＳ ＰＲシーケンスのうちの少なくとも１つは、複数のＵＥのうちの少なくとも１つのＵＥのために、共通リソースの一部にマッピングされる。これは、同様に必要な直交性を確実にするために、既知のまたは所定のパターンを用いて実行されることができる。そして、処理５００は、終了状態５０４で終了する。
【００７９】
マッピング動作５３０の後、ｅＮＢは、マッピングされたＵＥ−ＲＳ ＰＲシーケンスをセル内の複数のＵＥに送る。複数のＵＥのうちの特定のＵＥは、ＰＲシーケンスを受信し、その特定のＵＥに向けられたＵＥ−ＲＳを抽出し、データを復号するためにそのＵＥ−ＲＳを使用することができる。
【００８０】
図６は、ＭＵ−ＭＩＭＯ構成におけるＵＥ−ＲＳ ＰＲシーケンスの受信および使用のための例示的な処理６００をユーザー機器（ＵＥ）の観点から示したフローチャートである。処理６００は、開始状態６０１から始まり、動作６１０に進み、少なくとも１つのＵＥ−ＲＳ ＰＲシーケンスは、ＵＥによって受信され、その少なくとも１つのＰＲシーケンスは、特定のＵＥ識別子に依存せず、および／または、特定のＵＥに割り当てられたリソース帯域幅に依存せずに初期化されている。
【００８１】
処理６００は、動作６２０に進み、データは下りリンク（ＤＬ）帯域幅リソース（たとえば、ＰＤＳＣＨ）でＵＥにより受信される。処理６００は、動作６３０に進み、下りリンク帯域幅リソースで受信されたデータは、ＵＥ−ＲＳを用いてＵＥにより復号される。処理６００は、終了状態６４０で終了する。
【００８２】
ある特定の実施形態では、上述した実施形態の延長として、グループに基づいたＵＥ−ＲＳスクランブリングおよびＰＲシーケンス初期化の適用が可能である。そのような実施形態では、ＵＥは、半静的（semi-static）または動的に異なるグループに割り当てられ、各グループ内では、上述した、ＵＥに依存しない、さまざまなＵＥ−ＲＳスクランブリングおよびシーケンス初期化手順のうちの特定の１つが適用されることができる。
【００８３】
一態様において、特定のＵＥが割り当てられた特定のグループを表すグループインデックスは、たとえばＬ３またはＬ２のレイヤシグナリングによって、そのＵＥに伝えられることができる。たとえば、２つのグループがある場合、グループインデックスは、０および１と定められることができる。ＵＥは、そのＵＥが、０または１のうち、どちらのグループインデックスに属するのかを通知されることができる。グループに基づいたＵＥ−ＲＳシーケンスの初期化は、ＭＵ−ＭＩＭＯ設定において共にスケジューリングされたＵＥのための合計レイヤ数がＵＥ−ＲＳ直交ポートの数を超えると、非直交ＭＵ−ＭＩＭＯ ＵＥ−ＲＳ多重を許容する。たとえば、ＬＴＥ Ｒｅｌ．９の文脈で、２つのスクランブリングシーケンスグループ、グループＡおよびグループＢがあるとする。グループＡ（またはグループＢ）に属する２つのＵＥであって、各々がランク１を受信している２つのＵＥが、直交多重されることができる。さらに、２つのＵＥであって、そのうちの１つはグループＡに、１つはグループＢに属し、各々がランク２である２つのＵＥが多重化されることもでき、または、４つのＵＥであって、そのうちの２つはグループＡに、２つはグループＢに属し、各々がランク１の送信である４つのＵＥが多重化されることもできる。
【００８４】
このケースでは、ＵＥは、ＵＥが半静的または動的に割り当てられたグループ内での、考えられうるＭＵ干渉推定の最適化から利益を得ることができるということに留意すべきである。また、これによってグループ間干渉のランダム化が実現されることができる。異なるグループ間での悪影響を少なくするために、各グループのためのＵＥ−ＲＳスクランブリングの設計における最適化もまた、用いられることができる。
【００８５】
一態様において、ｅＮＢは、１つ以上の所定のファクターに基づいて、各ＵＥを異なるグループのうちの特定の１つに割り当てることができる。たとえば、特定のＵＥの特定のグループへの割り当ては、各グループにおいて現在アクティブなＵＥの合計数、および／または、１つ以上のＵＥパラメータまたはその特定のＵＥの属性に基づくことができる。相関アンテナ配備における例として、チャネルの指向性が時間とともにゆっくりと変化している場合、ＵＥは、それらの主なチャネル方向に基づいてグループ化されることができ、よって、異なるグループのＵＥは、互いにばらばらの、または、ことによると互いに直交する主なチャネル方向を有する。
【００８６】
図７は、ＭＵ−ＭＩＭＯ構成において、ＵＥ−ＲＳの生成と、関連するリソースマッピングと、を容易にするシステム７００を示したブロック図である。システム７００は、たとえば、無線ネットワークへのアクセスを無線デバイス７０４に提供する、基地局、フェムトセルアクセスポイント、ピコセルアクセスポイント、中継ノード、移動基地局、ピアツーピア通信モードで動作する移動デバイス、等であることができるアクセスポイント７０２を含む。無線デバイス７０４は、移動デバイスのようなユーザー機器（ＵＥ）、その一部、または、実質的には、無線ネットワークへのアクセスを受け取ることができるいずれのユーザー機器（ＵＥ）であることもできる。
【００８７】
アクセスポイント７０２は、共用リソース上のデータを復号するために１つ以上のＵＥによって使用されることができる複数の基準信号を作り出す、ＵＥ−ＲＳシーケンスを定めるコンポーネント７０６、１つ以上のＵＥのための基準信号の擬似ランダムシーケンスを作り出すＵＥ−ＲＳシーケンス初期化コンポーネント７０８、ＵＥを所与のＵＥ−ＲＳ擬似ランダムシーケンスにマッピングするＵＥ−ＲＳマッピングコンポーネント７１０、リソースが割り当てられるＵＥを１つ以上のグループに割り当てるデバイスグループ化コンポーネント７０３、ＵＥ−ＲＳマッピングおよび／またはグループ化情報を１つ以上の対応するＵＥに伝達する情報シグナリングコンポーネント７０５を含むことができる。無線デバイス７０４は、アクセスポイントからのＲＳ送信に関連する１つ以上のパラメータを得るＲＳ情報受信コンポーネント７１４、そのパラメータに少なくとも部分的に基づいて１つ以上のＲＳを復号するＲＳ復号コンポーネント７１６を含むことができる。
【００８８】
一例によると、上述したように、ＭＵ−ＭＩＭＯ構成におけるＲＳは、ＣＤＭ、ＦＤＭ、および／またはその組み合わせであることができる。たとえば、ＲＳがＣＤＭの場合、アクセスポイント７０２は、１つ以上の無線デバイスのために選択された擬似ランダムシーケンスにしたがってＲＳを多重化することができる。一例では、ＵＥ−ＲＳシーケンスを定めるコンポーネント７０６は、１つ以上のＵＥに共用リソースで送られたデータを復号するために利用されることができる複数のＵＥ−ＲＳを生成することができる。ＭＵ−ＭＩＭＯ構成では、共用帯域幅の割り当ておよび／または位置の割り当てを有するデバイスは、完全にアラインメントされ得るわけではないことが認識されるべきである。それゆえ、ＵＥ−ＲＳシーケンスを定めるコンポーネント７０６は、（ＬＴＥのリリース８の場合のように）ＰＤＳＣＨ帯域幅に基づくのではなく、関連するセルの全帯域幅に基づいて、複数のＵＥ−ＲＳを生成することができる。別の例では（たとえば、マルチセルＭＵ−ＭＩＭＯをサポートするために）、ＵＥ−ＲＳシーケンスを定めるコンポーネント７０６は、帯域幅不可知手法で、たとえば、ＲＢに関する最大可能下りリンク帯域幅構成によって、ＵＥ−ＲＳを生成することができる。
【００８９】
ＵＥ−ＲＳが定められると、ＵＥ−ＲＳシーケンス初期化コンポーネント７０８は、共用リソースの復号のためにＵＥに割り当てられるＵＥ−ＲＳ擬似ランダムシーケンスを生成することができる。ＭＵ−ＭＩＭＯ構成では、同一のＰＤＳＣＨリソースを使用するようにペアにされた無線デバイスのためのアンテナポートは直交のままであることが望まれうる。この目的のために、ＵＥ−ＲＳシーケンス初期化コンポーネント７０８は、（ＬＴＥ Ｒｅｌ−８でのＵＥ識別子とは対照的に）セル識別子に少なくとも部分的に基づいてＵＥ−ＲＳシーケンスを初期化することができる。アンテナポートは共通のメトリックを使用するので、これは直交性を確実にすることができる。その際、たとえば、既知であることができる、両方のアンテナポートのための、リソースブロック識別子、アンテナポートのインデックス、等といった他の共通のメトリックが利用されることができる。ＵＥ−ＲＳマッピングコンポーネント７１０は、直交性を維持する所定のマッピング方式を使用して（たとえば、帯域の一端から連続的に、帯域の中心から連続的に、等）、１つ以上の無線デバイスに、ＵＥ−ＲＳ擬似ランダムシーケンスと共用リソースを割り当てることができる。
【００９０】
デバイスグループ化コンポーネント７０３は、無線デバイス（ＵＥ）７０４を１つ以上のグループに、（たとえば、ランダムに、または、上述したように、グループにおけるアクティブなＵＥの数、デバイスのパラメータ、等に基づいて）割り当てることができる。この際、ＵＥ−ＲＳシーケンス初期化コンポーネント７０８は、割り当てられたグループに基づいて、無線デバイス７０４のためのＵＥ−ＲＳシーケンスを初期化することができる。グループに基づいたシーケンスの初期化を使用することは、一例において、受信されたランクに依存してデバイス間の直交性を確実にすることができる。たとえば、２つのＵＥ−ＲＳポートがある場合、デバイスグループ化コンポーネント７０３が無線デバイス７０４をあるグループに割り当て、無線デバイス７０４がランク１を受信した場合、ＵＥ−ＲＳシーケンス初期化コンポーネント７０８は、無線デバイス７０４と、ランク１を受信した同一グループ内の別のデバイスと、のための直交シーケンスを初期化することができる。同様に、デバイスグループ化コンポーネント７０３が無線デバイス７０４をあるグループに割り当て、無線デバイス７０４がランク２を受信した場合、ＵＥ−ＲＳシーケンス初期化コンポーネント７０８は、無線デバイス７０４と、ランク２を受信した別のグループ内の別のデバイスと、のための直交シーケンスを初期化することができる。
【００９１】
情報シグナリングコンポーネント７０５は、無線デバイス７０４に対応する、擬似ランダムシーケンス、関連するリソース、および／または関連するパラメータをシグナリングすることができる。無線デバイス（ＵＥ）７０４において、ＲＳ情報受信コンポーネント７１４は、アクセスポイント７０２から、擬似ランダムシーケンス、関連する共用リソース、および／またはパラメータを得ることができる。ＲＳ復号コンポーネント７１６は、たとえば、擬似ランダムシーケンスを使用して、共用リソースでのアクセスポイント７０２からの無線デバイス７０４固有のＲＳを復号することができる。同様に、一例では、アクセスポイント７０２の情報シグナリングコンポーネント４０４は、（たとえば、Ｌ３レイヤシグナリングを使用して）無線デバイス７０４にグループ化情報を送信することができる。
【００９２】
図８は、ＭＵ−ＭＩＭＯ構成におけるＵＥ−ＲＳシーケンスの割り当ておよび初期化のための例示的な処理８００をアクセスポイント（たとえば、ｅＮＢ）の観点から示したフローチャートである。処理８００は、開始状態８０１から始まって動作８１０に進み、複数のＵＥは、１つ以上の所定のファクターに基づいて、異なるＵＥグループに割り当てられる。上述したように、所定のファクターは、各ＵＥグループにおいて現在アクティブなＵＥの合計数、ＵＥの主なチャネル方向、および／または、セル内のＵＥの位置を含むことができるが、これらに限定されない。
【００９３】
処理８００は、動作８２０に進み、複数のＵＥによって使用されるＵＥ−ＲＳ擬似ランダム（ＰＲ）シーケンスが、割り当てられたＵＥグループに基づいて初期化される。特に、特定のＵＥのためのＵＥ−ＲＳの各々に関連づけられた各ＰＲシーケンスの初期化は、特定のＵＥが割り当てられたＵＥグループを表すグループＩＤに基づくことができる。例として、初期化動作８２０において、ｃｉｎｉｔは、各ＵＥ−ＲＳに関連づけられた擬似ランダムシーケンスジェネレータの初期値であり、
【数１５】
2013507060.tif 000017
【００９４】
によって定められた関数であり、ここで、
ＮIDcellは、セルＩＤであり、
ｎｓはスロット番号であり、
ｎ＿ｇｒｏｕｐＩＤは、グループＩＤである。
【００９５】
さらに、いくつかの実施形態では、初期化動作８２０において、各ＵＥ−ＲＳに関連づけられた各ＰＲシーケンスの初期化は、特定のＵＥ識別子に依存せず、および／または、特定のＵＥに割り当てられたリソース帯域幅に依存しない。上述したように、ＵＥ−ＲＳ ＰＲシーケンスの初期化に関連する第１の非依存性は、上記式（３）により定められたように初期化からＵＥ識別子を取り除くことによって、および／または、ＲＢＩＤ、AntPortIdx、ＲＢＩＤ、ＮＣＰ、または任意のそれらの組み合わせといったＵＥに固有でない属性の関数として初期化を行うことによって、達成されることができる。リソース帯域幅に関連する第２の非依存性は、複数のＵＥ−ＲＳを含む特定のセルの帯域幅に少なくとも部分的に基づいて複数のＵＥ−ＲＳを初期化することにより達成されることができる。上述したように、これは、特定のＵＥに関連づけられたリソース帯域幅への依存を取り除き、ＵＥ−ＲＳシーケンス、および関連するリソース割り当ての受信の際に、関連するＵＥがアラインメントされる必要を緩和する。
【００９６】
処理８００は、動作８３０に進み、ＵＥ−ＲＳ ＰＲシーケンスは、たとえば、式（１）によって定められた手順を使用して生成される。ＰＲシーケンスは、セル識別子（ＮIDcell）、リソースブロック識別子（ＲＢＩＤ）、グループＩＤ（ｎ＿ｇｒｏｕｐＩＤ）等、といった共通の（ＵＥに固有でない）識別子を用いて生成されることができるので、セルのアンテナは、同様の割り当てリソースを有するデバイスのためのシーケンス割り当ての直交性を維持することができる。
【００９７】
処理８００は、動作８４０に進み、そのようにして生成されたＵＥ−ＲＳ ＰＲシーケンスのうちの少なくとも１つは、複数のＵＥのうちの少なくとも１つのＵＥのために、共通リソースの一部にマッピングされる。これは、同様に必要な直交性を確実にするために、既知のまたは決められたパターンを用いて実行されることができる。処理８００は、終了状態８５０で終了する。
【００９８】
図９は、ＭＵ−ＭＩＭＯ構成におけるＵＥ−ＲＳシーケンスの受信および使用のための例示的な処理９００をユーザー機器（ＵＥ）の観点から示したフローチャートである。処理９００は、開始状態９０１から始まり、動作９１０に進み、少なくとも１つのＵＥ−ＲＳ ＰＲシーケンスは、ＵＥによって受信され、その少なくとも１つのＰＲシーケンスは、ＵＥが属するＵＥグループを表すグループインデックスに基づいて初期化されている。さらに、ある特定の実施形態では、ＰＲシーケンスは、特定のＵＥ識別子に依存せず、および／または、特定のＵＥに割り当てられたリソース帯域幅（ＰＤＳＣＨ）に依存せずに初期化されている。
【００９９】
処理９００は、動作９２０に進み、データが、下りリンク（ＤＬ）帯域幅リソース（たとえば、ＰＤＳＣＨ）でＵＥにより受信される。処理９００は、動作９３０に進み、下りリンク帯域幅リソースでＵＥにより受信されたデータは、受信されたＵＥ−ＲＳを用いてＵＥにより復号される。処理９００は、終了状態９４０で終了する。
【０１００】
当業者は、ここで開示された態様に関連して説明されたさまざまな例示的な論理ブロック、モジュール、回路、およびアルゴリズムのステップが、電子ハードウェア、コンピュータソフトウェア、またはその２つの組み合わせとして実現され得ることを、さらに理解するだろう。ハードウェアとソフトウェアのこの互換性を明確に説明するために、さまざまな例示的なコンポーネント、ブロック、モジュール、回路、およびステップが、それらの機能の観点で一般的に上述されている。そのような機能がハードウェアで実現されるかソフトウェアで実現されるかは、システム全体に課せられた特定の用途および設計上の制約に依存する。当業者は、特定の用途ごとにさまざまな手法で、説明された機能を実現することができるが、そのような実現の決定は、本開示の範囲から逸脱するものと解釈されるべきではない。
【０１０１】
本願で使用される場合、「コンポーネント」、「モジュール」、「システム」等の用語は、コンピュータ関連のエンティティ、ハードウェア、ハードウェアとソフトウェアの組み合わせ、ソフトウェア、または実行中のソフトウェアのいずれかを指すことを意図している。たとえば、コンポーネントは、プロセッサで実行中の処理、プロセッサ、オブジェクト、実行ファイル、実行中のスレッド、プログラム、および／またはコンピュータであることができるが、これらに限定されない。例示として、サーバーで実行中のアプリケーションもサーバーもコンポーネントであることができる。１つ以上のコンポーネントは、処理および／または実行中のスレッド内に存在することができ、コンポーネントは、１つのコンピュータに局在化することも、および／または、２つ以上のコンピュータ間に分散化されることもできる。
【０１０２】
「例示的な」という語は、例、事例、または実例の役割を果たすことを意味するためにここでは用いられる。「例示的な」ものとしてここに説明された任意の態様または設計は、必ずしも、他の態様または設計よりも好ましい、または利点を有するものと解釈されるべきではない。
【０１０３】
さまざまな態様が、多くのコンポーネント、モジュール、等を含みうるシステムの観点で提示される。さまざまなシステムは、さらなるコンポーネント、モジュール、等を含むことも、および／または、図面に関連して説明されたコンポーネント、モジュール等のすべてを含まないこともできるということが理解され、認識されるべきである。これらのアプローチの組み合わせもまた、使用されることができる。ここに開示されたさまざまな態様は、タッチスクリーンディスプレイ技術および／またはマウスおよびキーボードタイプのインターフェースを利用するデバイスを含む電気デバイスで実行されることができる。そのようなデバイスの例には、（デスクトップおよびモバイルの）コンピュータ、スマートフォン、携帯情報端末（ＰＤＡ）、および、他の有線の電子デバイスおよび無線の電子デバイスの両方が含まれる。
【０１０４】
さらに、ここに開示された態様に関連して説明されたさまざまな例示的な論理ブロック、モジュール、および回路は、ここに説明された機能を実行するように設計された、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、離散ゲートまたはトランジスタ論理、離散ハードウェアコンポーネント、またはそれらの任意の組み合わせを用いて実現または実行されることができる。汎用プロセッサは、マイクロプロセッサであることができるが、その代わりに、プロセッサは、任意の従来のプロセッサ、コントローラ、マイクロコントローラ、またはステートマシンであることができる。プロセッサは、コンピューティングデバイスの組み合わせ、たとえば、ＤＳＰと、１つのマイクロプロセッサ、複数のマイクロプロセッサ、ＤＳＰコアに接続された１つ以上のマイクロプロセッサとの組み合わせ、または任意の他のそのような構成としても実現されることもできる。
【０１０５】
さらに、１つ以上の変形例は、コンピュータを制御して開示された態様を実現するソフトウェア、ファームウェア、ハードウェア、またはそれらの任意の組み合わせを生産するための、標準的なプログラミングおよび／またはエンジニアリング技術を使用する方法、装置、製造物として実現されることができる。ここで使用される用語「製造物」（または、その代わりに、「コンピュータプログラム製品」）は、任意のコンピュータ可読デバイス、キャリア、または媒体からアクセスすることが可能なコンピュータプログラムを含むことが意図される。たとえば、コンピュータ可読媒体は、磁気記憶デバイス（たとえば、ハードディスク、フロッピー（登録商標）ディスク、磁気ストリップ・・・）、光ディスク（たとえば、コンパクトディスク（ＣＤ）、デジタル多用途ディスク（ＤＶＤ）・・・）、スマートカード、およびフラッシュメモリデバイス（たとえば、カード、スティック）を含むことができるが、これらに限定されない。さらに、電子メールの送受信の際、または、インターネットまたはローカルエリアネットワーク（ＬＡＮ）のようなネットワークにアクセスする際に使用されるようなコンピュータ可読電子データを搬送するために、搬送波が用いられうることが認識されるべきである。当然のことながら、当業者は、多くの変更が、開示された態様の範囲から逸脱することなくこの構成になされうることを認識するだろう。
【０１０６】
ここに開示された態様に関連して説明されたアルゴリズムまたは方法のステップは、ハードウェアで直接的に、プロセッサによって実行されるソフトウェアモジュールで、または両者の組み合わせで具現化されることができる。  ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当該技術分野で知られている任意の他の形態の記憶媒体の中に存在することができる。例示的な記憶媒体は、プロセッサが記憶媒体から情報を読み出すことができるように、および記憶媒体に情報を書き込むことができるように、プロセッサに結合される。その代わりに、記憶媒体は、プロセッサに組み込まれることができる。プロセッサと記憶媒体は、ＡＳＩＣの中に存在することができる。ＡＳＩＣは、ユーザー端末の中に存在することができる。その代わりに、プロセッサと記憶媒体は、ユーザー端末において離散コンポーネントとして存在することができる。
【０１０７】
１つ以上の例示的な実施形態において、説明された機能は、ハードウェア、ソフトウェア、ファームウェア、またはそれらの任意の組み合わせにおいて実現されることができる。ソフトウェアで実現される場合、機能は、１つ以上の命令またはコードとして、非一時的なコンピュータ可読媒体に記憶されることも、符号化されることもできる。コンピュータ可読媒体は、コンピュータ記憶媒体を含む。記憶媒体は、コンピュータによってアクセスされることができる任意の入手可能な媒体であることができる。限定ではなく例として、そのようなコンピュータ可読媒体は、ＲＡＭ、ＲＯＭ、ＥＥＰＲＯＭ、ＣＤ−ＲＯＭ、または他の光ディスク記憶装置、磁気ディスク記憶装置、または他の磁気記憶デバイス、または命令またはデータ構造の形態で所望のプログラムコードを搬送または記憶するために使用されることができ、かつ、コンピュータによってアクセスされることができる任意の他の媒体を含むことができる。ディスク（disk）およびディスク（disc）は、ここで使用される場合、コンパクトディスク（disc）（ＣＤ）、レーザーディスク（登録商標）（disc）、光ディスク（disc）、デジタル多用途ディスク（disc）（ＤＶＤ）、フロッピーディスク（disk）、およびブルーレイ（登録商標）ディスク（disc）を含み、ディスク（disk）は通常、データを磁気的に再生するが、ディスク（disc）は、レーザーを用いて光学的にデータを再生する。上述したものの組み合わせも、非一時的なコンピュータ可読媒体の範囲内に含まれるべきである。
【０１０８】
開示された態様の先の説明は、いずれの当業者にも本開示を製造または使用させることができるように提供されている。これらの態様に対するさまざまな変更は、当業者には容易に理解でき、ここで定義された一般的な原理は、この開示の精神または範囲から逸脱せずに、他の実施形態に適用されることができる。よって、本開示は、ここに示した実施形態に限定されることを意図せず、ここに開示された原理および新規な特徴と一致した最も広い範囲が与えられるものとする。
【０１０９】
先に説明した例示的なシステムに関し、開示された主題によって実現されうる方法は、いくつかのフローチャートを参照して説明されている。説明を簡潔にする目的で、これらの方法は一続きのブロックで示され説明されているが、いくつかのブロックは、ここに示され説明されたものとは異なる順序で、および／または他のブロックと同時に起こりうるため、特許請求の主題はブロックの順序によって限定されないことが理解され認識されるべきである。さらに、示されたブロックのすべてが、ここに説明された方法を実現するために要求されるわけではない。加えて、ここに開示された方法は、そのような方法のコンピュータへの搬送および転送を容易にするために製造物に記憶されうるということがさらに認識されるべきである。製造物という用語は、ここで使用される場合、任意のコンピュータ可読デバイス、キャリア、または媒体からアクセスすることができるコンピュータプログラムを含むことが意図される。
【０１１０】
引用によって全体的または部分的に本明細書に組み込まれるものとされた任意の特許文献、刊行物、または他の開示資料は、その組み込まれた資料が、既存の定義、言明、または本開示で説明された他の開示資料とのコンフリクトがない限りにおいてのみ、ここに組み込まれるということが認識されるべきである。そのようなものとして、また必要とされる範囲で、ここで明示的に説明された開示は、引用によってここに組み込まれた、コンフリクトを有するいずれの資料にも優先する。引用によってここに組み込まれるものとされたが、既存の定義、言明、またはここに説明された他の開示資料とのコンフリクトを有する任意の資料、またはその一部は、組み込まれた資料と既存の開示資料との間でコンフリクトが生じない範囲で組み込まれるのみとする。
【図１】
2013507060.tif 000037
【図２】
2013507060.tif 000038
【図３】
2013507060.tif 000039
【図４】
2013507060.tif 000040
【図５】
2013507060.tif 000041
【図６】
2013507060.tif 000042
【図７】
2013507060.tif 000043
【図８】
2013507060.tif 000044
【図９】
2013507060.tif 000045
【国際調査報告】
2013507060.tif 000046
2013507060.tif 000047
2013507060.tif 000048
2013507060.tif 000049
2013507060.tif 000050
2013507060.tif 000051
2013507060.tif 000052